(57)【要約】【課題】  型枠の組立や解体工程における作業の省力化が可能であり、騒音や振動の発生も抑制できて、転用可能で且つ木製合板を使用する必要がない型枠ユニットを提供する。【解決手段】  建設工事におけるコンクリート打設用の型枠ユニット１０であって、格子状に形成された部材１１ｃを含む荷重受け部材１１と、荷重受け部材上に敷設された発泡樹脂材料からなる中間層１２と、中間層の上に敷設された釘打ち可能なシート材又は板材からなるコンクリート接触層１３とを備える。【選択図】  図１
2007291813.tif 000002
【特許請求の範囲】
【請求項１】
建設工事におけるコンクリート打設用の型枠であって、格子状に形成された部材を含む荷重受け部材と、該荷重受け部材上に敷設された発泡樹脂材料からなる中間層と、該中間層の上に敷設された釘打ち可能なシート材又は板材からなるコンクリート接触層とを備えること特徴とする型枠ユニット。
【請求項２】
前記荷重受け部材は、形鋼又はアルミニウム形材からなる矩形枠体と、該矩形枠体の内部に固着されたワイヤーメッシュ又はアルミニウムメッシュとを備えるものである請求項１に記載の型枠ユニット。
【請求項３】
前記荷重受け部材は、繊維強化プラスチックから形成された格子状パネルである請求項１に記載の型枠ユニット。
【発明の詳細な説明】
【技術分野】
【０００１】
本発明は建設工事の工程において使用可能な型枠ユニットに関する。
【背景技術】
【０００２】
コンクリート構造物の建設工事では、コンクリート打設に先立って型枠工事が実施される。この型枠工事では、多くの場合に、せき板として木製合板が使用され、せき板の形と位置を保持するための支保工として単管パイプ（鋼管）や端太角が設けられる。例えば、床や梁の底の型枠としては、支柱で大引を支持し、この大引の上に根太を架け渡し、根太でせき板を支持するのが一般的である。多くの場合に、支柱は伸縮調整可能な鋼製のパイプが使用され、大引は端太角、根太は単管パイプが使用されている。
【０００３】
しかしながら、単管パイプを使用する場合、型枠の組立や解体に手間が掛かり過ぎるという問題がある。また型枠解体時には、単管パイプにより騒音や振動が生じるため、建設現場の近隣環境に悪影響を与えてしまう。さらに、型枠工事後には、木製合板が比較的多量に廃棄されることになるので、環境保護の観点からも木製合板の使用量の削減が求められている。
【発明の開示】
【発明が解決しようとする課題】
【０００４】
本発明の課題は、型枠の組立や解体工程における作業の省力化が可能であり、騒音や振動の発生も抑制できて、さらに、転用可能で且つ木製合板を使用する必要がない型枠ユニットを提供することである。
【課題を解決するための手段】
【０００５】
本発明では、建設工事におけるコンクリート打設用の型枠であって、格子状に形成された部材を含む荷重受け部材と、該荷重受け部材上に敷設された発泡樹脂材料からなる中間層と、該中間層の上に敷設された釘打ち可能なシート材又は板材からなるコンクリート接触層とを備えること特徴とする型枠ユニットが提供される。
【０００６】
また本発明において、荷重受け部材は、形鋼又はアルミニウム形材からなる矩形枠体と、該矩形枠体の内部に固着されたワイヤーメッシュ又はアルミニウムメッシュとから構成することが可能である。
【０００７】
さらに、本発明において、荷重受け部材は、矩形に形成された枠体と、該枠体の内側に固着した格子状部材とから構成することが可能であり、枠体や格子状部材は、鋼材やアルミニウム材等の金属材料から形成される。これ以外にも、荷重受け部材は、繊維強化プラスチックから形成された格子状パネルを使用しても良い。
【発明の効果】
【０００８】
本発明の型枠ユニットは荷重受け部材を備えるものであるため、これを大引間に架設する際には、従来の型枠のように、単管パイプを使用する必要がなく、型枠の組立工程や解体工程で単管パイプからの騒音発生を防止することが可能になる。また本発明の型枠ユニットは、発泡樹脂材料からなる中間層を備えるものであるため、型枠ユニット自体の軽量化を図ることができ、騒音や振動の減衰効果も得られる。さらに、本発明の型枠ユニットは、釘打ち可能なシート材又は板材を表面に有しているので、従来の型枠のように、比較的厚い木製合板を使用する必要がなく、環境保護の観点からも優れたものである。
【０００９】
本発明の型枠ユニットでは、荷重受け部材を、枠体と格子状部材とにより構成するか、繊維強化プラスチックから形成された格子状パネルから構成するものであるため、型枠ユニット自体の軽量化を図ることが可能になる。
【発明を実施するための最良の形態】
【００１０】
以下、図面を参照して本発明の実施形態について説明するが、本発明はこれに限定されるものではない。
【００１１】
図１は本発明の型枠ユニット１０の構成部材を部分的に破断し、あるいは取り除いて示した斜視図であり、図２は型枠ユニット１０の短辺方向の断面図である。
型枠ユニット１０は、コンクリート構造物の建設工事で使用されるコンクリート打設用の型枠部材であって、例えば、図１に示したように、支柱２０で支持された大引２１，２１間に架設されるものであり、主要な構成として、荷重受け部材１１と、中間層１２と、コンクリート接触層１３とを有しており、これら主要構成は固定具等（図示せず）により一体に固着されている。
【００１２】
荷重受け部材１１は、枠体１１ａと補強材１１ｂと格子状部材（ワイヤメッシュ１１ｃ）とから構成される。
枠体１１ａは形鋼により長方形に形成されたものであり、枠体１１ａのほぼ中央の長手方向に形鋼からなる補強材１１ｂが固着され、枠体１１ａと補強材１１ｂとで囲まれた部分にワイヤメッシュ１１ｃが溶接により固着されている。枠体１１ａの長辺部分は、図２の断面図に示したように平鋼が折り曲げられて形成される。一方、補強材１１ｂは２本の山形鋼を一体に溶接するか、Ｔ形鋼又はＣＴ形鋼により形成される。このようにして、枠体１１ａには中間層１２を収容するための厚みが内側に形成される。
ワイヤメッシュ１１ｃは、複数の鋼材が直交二方向に所定間隔で並設されて溶接で固着されたものであり、図１に示したように、一方向の鋼材が枠体１１ａの長辺方向と平行になるように取り付けられる。このように設けられたワイヤメッシュ１１ｃは、枠体１１ａや補強材１１ｂが捩れないように補強すると共に、それ自体がコンクリートの荷重を支持するものである。
なお、枠体１１ａ、補強材１１ｂ、格子状部材は、適宜選択的にアルミニウムより形成されたものを使用することが可能であり、アルミニウム製にした場合には、型枠ユニット１０の更なる軽量化が可能になる。
【００１３】
中間層１２は、発泡樹脂材料から形成された所定厚さのパネルであり、このパネルは枠体１１ａとほぼ同じ厚さに形成される。中間層１２として、発泡樹脂製パネルを用いることにより、型枠ユニット１０自体の軽量化を図ることができ、騒音や振動を減衰する効果も期待できる。
【００１４】
コンクリート接触層１３は中間層１２の上に敷設されるものであり、コンクリート接触層１３の表面に埋め込み金具等を固定することが可能なように、釘打ち可能な材料から形成される。釘打ち可能な材料としては、硬質ゴムシート、合板あるいは竹集成材を使用することが可能である。これらの材料はそれぞれに利点を備えるものであり、硬質ゴムシートは騒音振動の減衰効果や耐久性が最も良好であり、合板は重量が最も軽量であり、竹集成材は竹が豊富に得られるという環境上の利点を有するものである。
【００１５】
上記構成の型枠ユニット１０は、例えば、縦１８１０ｍｍ×横４５５ｍｍ程度の大きさに形成され、床スラブを構築する際には、図１に示したように、支柱２０で支持された大引２１，２１間に架設され、コンクリート接触層１３の上に直接コンクリート２２が打設される。このとき、コンクリートの荷重は、型枠ユニット１０の荷重受け部材１１により支持されるため、従来の型枠のような単管パイプは不要となり、そのため型枠組立や解体に伴う騒音の発生は抑制される。しかも、型枠ユニット１０は、発泡樹脂材料からなる中間層１２を含むので、これにより騒音や振動の減衰効果も期待できる。
【００１６】
次に、図３（ａ）は本発明の型枠ユニット３０の構成部材を部分的に破断し、あるいは取り除いて示した斜視図であり、図３（ｂ）は格子状パネル３１を部分的に拡大して示した斜視図である。
この型枠ユニット３０では、繊維強化プラスチックにより一体成形された格子状パネル３１ａの二枚がボルトやナット等の固定具（図示せず）により一体に固定され、この一体化された格子状パネル３１が荷重受け部材として使用される。格子状パネル３１は、例えば、縦１８１０ｍｍ×横４５５ｍｍ程度に形成したものが使用され、図１の実施形態と同様に、格子状パネル３１の上には発泡樹脂材料からなる中間層１２が敷設され、中間層１２の上に釘打ち可能なコンクリート接触層１３が敷設され、これら格子状パネル３１、中間層１２、コンクリート接触層１３が固定具（図示せず）により一体に固定されている。
型枠ユニット３０は、施工現場で支柱２０や大引２１，２１と組み立てられて、コンクリート接触層１３の上にコンクリート２２が直接打設され、図１の実施形態と同様に、作業の省力化や騒音防止効果が得られ、転用が可能なものである。
【００１７】
なお、図１、図２及び図３では、床スラブの構築工程に本発明の型枠ユニットを適用する実施形態を図示したが、本発明はこれに限定されるものではなく、壁、大梁等の構築工程にも適用可能なものであり、垂直方向の面を構築するための型枠ユニットとしても使用することができる。
【図面の簡単な説明】
【００１８】
【図１】本発明の型枠ユニットの構成部材を部分的に破断し、あるいは取り除いて示した斜視図である。
【図２】型枠ユニットの短辺方向の断面図である。
【図３】（ａ）は図１とは異なる実施形態を示す斜視図であり、（ｂ）は格子状パネルを部分的に拡大して示した斜視図である。
【符号の説明】
【００１９】
１０  型枠ユニット
１１  荷重受け部材
１１ａ  枠体
１１ｂ  補強材
１１ｃ  ワイヤメッシュ
１２  中間層
１３  コンクリート接触層
３０  型枠ユニット
３１  格子状パネル
【図１】
2007291813.tif 000003
【図２】
2007291813.tif 000004
【図３】
2007291813.tif 000005